(57)【要約】【課題】配線基板等において、電気的部材が実装されている領域の少なくとも一部の視認性を高めると共に、配線基板と他の電気的部材とを接続する部位等への不正行為を抑制することができる遊技機を提供する。【解決手段】配線基板１３０Ｂに第１部品実装領域１３１が形成され、接続部２３０は配線部材２００を介して他の電気的部材等と接続され、第１部品実装領域は保護部１１１により覆われて保護され、保護部を備え保護位置と非保護位置に移動可能とするカバー部材１１０が備えられており、保護位置にあっては、カバー部材の保護部が第１部品実装領域と共に接続部の第１部品実装領域に侵入している部分を覆って保護し、非保護位置にあっては、カバー部材は第１部品実装領域を覆わない構成とする。【選択図】図１０
2010187881.tif 000002
【特許請求の範囲】
【請求項１】
第１部品実装領域と第２部品実装領域が形成され、前記第１部品実装領域に接続部が設けられていると共に前記第２部品実装領域に電気的部材が実装された配線基板と、
前記接続部と、配線部材を介して接続された前記配線基板外部の他の電気的部材と、
保護位置と非保護位置に移動可能とし、前記保護位置にあるときに前記第１部品実装領域を覆って保護する保護部が形成されたカバー部材が備えられており、
前記保護位置にあっては、前記カバー部材の前記保護部が前記第１部品実装領域と共に前記配線部材の第１部品実装領域に侵入している部分を覆って保護し、前記カバー部材は前記第２部品実装領域の少なくとも一部を覆うことなく視認可能な状態となり、
前記非保護位置にあっては、前記カバー部材は前記第１部品実装領域及び前記第２部品実装領域のいずれも覆わない状態となるような構成であることを特徴とする遊技機。
【請求項２】
前記配線部材は、該配線部材の先端部分を前記接続部への挿入方向に向けて前記接続部に挿入距離分挿入することにより前記接続部に接続される一方、前記接続部に挿入された前記先端部分を該接続部からの解除方向に解除距離分抜き出すことにより前記接続部との接続が解除され、
前記カバー部材が前記保護位置にあるときには、前記保護部と前記接続部との距離が前記解除距離を超えない位置となることを特徴とする請求項１に記載の遊技機。
【請求項３】
前記配線基板は前記接続部と前記配線部材とを接続可能にする開放部を形成した基板収納ケースに収納され、
前記保護部は少なくとも前記開放部を覆うことにより、前記第１部品実装領域を保護することを特徴とする請求項１又は２に記載の遊技機。
【請求項４】
前記基板収納ケースにおいて、該基板収納ケースに収納された前記配線基板の前記第１部品実装領域に対応する位置においては前記基板収納ケースの他の部位よりも前記配線基板に近づいた窪み部が形成され、
前記保護部が前記窪み部を覆うことによって前記第１部品実装領域を保護することを特徴とする請求項３に記載の遊技機。
【請求項５】
前記基板収納ケースは、前記配線基板が視認可能となる透明色もしくは半透明色であることを特徴とする請求項３又は４に記載の遊技機。
【請求項６】
前記接続部は前記配線部材の一部が接続可能なコネクタ部材であり、前記保護位置にあっては、前記コネクタ部材及び前記配線基板以外の装置の少なくとも一部が前記カバー部材によって覆われることを特徴とする請求項１ないし５のいずれか１項に記載の遊技機。
【発明の詳細な説明】
【技術分野】
【０００１】
本発明は、遊技機に関し、特に遊技機背面側に設けられた各種の配線基板等に対する不正行為を軽減する遊技機に関する。
【背景技術】
【０００２】
一般に、パチンコ遊技機等の遊技機では、遊技領域を有する遊技盤は機枠内に収納される。遊技盤の裏面側には主制御基板等の配線接続された配線基板が基板収納ケースに収納されて取り付けられている。そして、基板収納ケース全体がカバー部材により覆われることにより、配線基板等は保護されている（例えば、特許文献１等参照）。
【０００３】
カバー部材により配線基板や基板収納ケースを覆った場合、基板収納ケースや配線基板の視認が難しくなる場合もある。よって、配線基板等に対する不正行為の有無を発見し難くなっていた。また、カバー部材自体が無くなると、配線基板に配設されているコネクタ部品等が露出した状態となり、防犯上脆弱な部位が生じる。このような場合、例えば、意図的に過剰な遊技価値（賞球）を付与する制御を行うぶら下がり基板等と称される基板を配線部材に取り付ける等の不正行為のおそれがあった。
【０００４】
そこで、配線基板等の視認性を確保しつつ、配線部材と配線基板とを接続する部位等に対する不正行為を低減することができる遊技機が望まれるに至った。
【先行技術文献】
【特許文献】
【０００５】
【特許文献１】特開平７−１０８０８３号公報
【発明の概要】
【発明が解決しようとする課題】
【０００６】
本発明は、上記状況に鑑み提案されたものであり、配線基板等において、電気的部材が実装されている領域の少なくとも一部の視認性を高めると共に、配線基板と他の電気的部材とを接続する部位等への不正行為を抑制することができる遊技機を提供する。
【課題を解決するための手段】
【０００７】
すなわち、請求項１の発明は、第１部品実装領域と第２部品実装領域が形成され、前記第１部品実装領域に接続部が設けられていると共に前記第２部品実装領域に電気的部材が実装された配線基板と、前記接続部と、配線部材を介して接続された前記配線基板外部の他の電気的部材と、保護位置と非保護位置に移動可能とし、前記保護位置にあるときに前記第１部品実装領域を覆って保護する保護部が形成されたカバー部材が備えられており、前記保護位置にあっては、前記カバー部材の前記保護部が前記第１部品実装領域と共に前記配線部材の第１部品実装領域に侵入している部分を覆って保護し、前記カバー部材は前記第２部品実装領域の少なくとも一部を覆うことなく視認可能な状態となり、前記非保護位置にあっては、前記カバー部材は前記第１部品実装領域及び前記第２部品実装領域のいずれも覆わない状態となるような構成であることを特徴とする遊技機に係る。
【０００８】
請求項２の発明は、前記配線部材は、該配線部材の先端部分を前記接続部への挿入方向に向けて前記接続部に挿入距離分挿入することにより前記接続部に接続される一方、前記接続部に挿入された前記先端部分を該接続部からの解除方向に解除距離分抜き出すことにより前記接続部との接続が解除され、前記カバー部材が前記保護位置にあるときには、前記保護部と前記接続部との距離が前記解除距離を超えない位置となることを特徴とする請求項１に記載の遊技機に係る。
【０００９】
請求項３の発明は、前記配線基板は前記接続部と前記配線部材とを接続可能にする開放部を形成した基板収納ケースに収納され、前記保護部は少なくとも前記開放部を覆うことにより、前記第１部品実装領域を保護することを特徴とする請求項１又は２に記載の遊技機に係る。
【００１０】
請求項４の発明は、前記基板収納ケースにおいて、該基板収納ケースに収納された前記配線基板の前記第１部品実装領域に対応する位置においては前記基板収納ケースの他の部位よりも前記配線基板に近づいた窪み部が形成され、前記保護部が前記窪み部を覆うことによって前記第１部品実装領域を保護することを特徴とする請求項３に記載の遊技機に係る。
【００１１】
請求項５の発明は、前記基板収納ケースは、前記配線基板が視認可能となる透明色もしくは半透明色であることを特徴とする請求項３又は４に記載の遊技機に係る。
【００１２】
請求項６の発明は、前記接続部は前記配線部材の一部が接続可能なコネクタ部材であり、前記保護位置にあっては、前記コネクタ部材及び前記配線基板以外の装置の少なくとも一部が前記カバー部材によって覆われることを特徴とする請求項１ないし５のいずれか１項に記載の遊技機に係る。
【発明の効果】
【００１３】
請求項１の発明に係る遊技機によると、第１部品実装領域と第２部品実装領域が形成され、前記第１部品実装領域に接続部が設けられていると共に前記第２部品実装領域に電気的部材が実装された配線基板と、前記接続部と、配線部材を介して接続された前記配線基板外部の他の電気的部材と、保護位置と非保護位置に移動可能とし、前記保護位置にあるときに前記第１部品実装領域を覆って保護する保護部が形成されたカバー部材が備えられており、前記保護位置にあっては、前記カバー部材の前記保護部が前記第１部品実装領域と共に前記配線部材の第１部品実装領域に侵入している部分を覆って保護し、前記カバー部材は前記第２部品実装領域の少なくとも一部を覆うことなく視認可能な状態となり、前記非保護位置にあっては、前記カバー部材は前記第１部品実装領域及び前記第２部品実装領域のいずれも覆わない状態となるような構成であるため、保護位置において、電気的部材が実装されている領域の少なくとも一部の視認性を高めると共に、配線基板と他の電気的部材とを接続する部位等への不正行為を低減することができる。
【００１４】
請求項２の発明に係る遊技機によると、請求項１の発明において、前記配線部材は、該配線部材の先端部分を前記接続部への挿入方向に向けて前記接続部に挿入距離分挿入することにより前記接続部に接続される一方、前記接続部に挿入された前記先端部分を該接続部からの解除方向に解除距離分抜き出すことにより前記接続部との接続が解除され、前記カバー部材が前記保護位置にあるときには、前記保護部と前記接続部との距離が前記解除距離を超えない位置となるため、接続部から配線部材は解除されにくくなる。
【００１５】
請求項３の発明に係る遊技機によると、請求項１又は２の発明において、前記配線基板は前記接続部と前記配線部材とを接続可能にする開放部を形成した基板収納ケースに収納され、前記保護部は少なくとも前記開放部を覆うことにより、前記第１部品実装領域を保護するため、開放部から収納されている配線基板等に対する異物侵入等に伴う不正行為のおそれも極力回避できる。
【００１６】
請求項４の発明に係る遊技機によると、請求項３の発明において、前記基板収納ケースにおいて、該基板収納ケースに収納された前記配線基板の前記第１部品実装領域に対応する位置においては前記基板収納ケースの他の部位よりも前記配線基板に近づいた窪み部が形成され、前記保護部が前記窪み部を覆うことによって前記第１部品実装領域を保護するため、窪み部に適度な空間が生じ、接続部に接続された配線部材の引き回しに余裕が生じる。
【００１７】
請求項５の発明に係る遊技機によると、請求項３又は４の発明において、前記基板収納ケースは、前記配線基板が視認可能となる透明色もしくは半透明色であるため、基板収納ケース内に収納されている基板の視認性の妨げとはならず、点検、確認は容易である。
【００１８】
請求項６の発明に係る遊技機によると、請求項１ないし５のいずれか１項の発明において、前記接続部は前記配線部材の一部が接続可能なコネクタ部材であり、前記保護位置にあっては、前記コネクタ部材及び前記配線基板以外の装置の少なくとも一部が前記カバー部材によって覆われるため、コネクタ部材及び配線基板以外の他の装置の少なくとも一部もカバー体により保護される。
【図面の簡単な説明】
【００１９】
【図１】本発明の一実施例に係る遊技機の正面図である。
【図２】同遊技機の背面側からの分解斜視図である。
【図３】同遊技機のシステム制御を簡略に示すブロック図である。
【図４】同遊技機の非保護位置となるカバー部材を外した背面図である。
【図５】同遊技機の保護位置となるカバー部材を付けた背面図である。
【図６】同遊技機の背面側の斜視図である。
【図７】同遊技機の縦断面図である。
【図８】配線基板及び基板収納ケースの概略模式斜視図である。
【図９】配線基板及び基板収納ケースの概略要部断面図である。
【図１０】図７の符号Ｑ部分の拡大図である。
【図１１】カバー部材の他の例である。
【発明を実施するための形態】
【００２０】
図１に示す遊技機１は、この発明の実施例に係るパチンコ遊技機である。遊技機１の機枠２内に遊技盤３が着脱交換可能に収容される。遊技盤３に発射装置４０から弾発発射された遊技球を遊技領域８へ誘導する外側ガイドレール１４及び内側ガイドレール１３が略円形に立設される。内側ガイドレール１３に囲まれた遊技領域８の中心線上にその上部から下部に向けて順に画像表示装置９、普通電動役物であり可動片１１，１１を有する始動入賞口１０、特別電動役物である大入賞口１５、アウト口１７が配設される。画像表示装置９の上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞口１５の右側に右落とし入賞口２９が配設されている。
【００２１】
表示装置９は、液晶、ドットマトリックスもしくはＬＥＤ表示装置等の表示装置からなり、この実施例ではカラー表示可能な液晶表示器（ＴＦＴ−ＬＣＤモジュール）等からなる図柄表示装置５０を備えている。図柄表示装置５０は、数字、アルファベット、記号あるいは絵（キャラクタ）等の普通図柄または特別図柄を変動表示及び停止表示可能としている。大入賞口１５において、符号６１は開閉板、６３は特定領域入賞口である。
【００２２】
図１の遊技機１の前面側には、遊技状態を報知するランプ表示器３５、払い出された遊技球を受けるための上側球受け皿３２、上側球受け皿３２を取り付けるための取付板３３、上側球受け皿３２の飽和時に遊技球を受けるための下側球受け皿３４、前記遊技領域上側に設置され音声や効果音を発して遊技状態を遊技者に報知するスピーカ３７、遊技者による操作ハンドル４１（操作手段）の発射操作に応じて遊技球を遊技領域８に向けて弾発発射する発射装置４０等がそれぞれ組み付けられている。
【００２３】
発射装置４０は、操作ハンドル４１と、該操作ハンドル４１の操作により駆動する発射モータ４４（図３参照）と、この発射モータの駆動により間欠的に揺動して遊技球を弾発発射する打球杆（図示せず）とを有する。なお、遊技者により操作ハンドル４１（操作手段）が握持されると、遊技者の生体電流はタッチスイッチ４３（図３参照）により検知され、発射装置制御基板１５３の制御を受け発射モータ４４は駆動される（図１，図３参照）。発射装置４０により発射された遊技球は、外側ガイドレール１４及び内側ガイドレール１３により遊技領域８へ誘導される。遊技領域８に誘導された遊技球は、転動しつつ下方へ落下し、各入賞口に入賞するか、あるいは何処にも入賞しなければ前記アウト口１７から遊技盤３の裏側へ排出される。
【００２４】
図２に示す遊技機１の背面側からの斜視図よりわかるように、遊技機１は、奥から順に機枠２と、制御基板機構体６と、遊技盤３と、装飾枠体５の部材から構成される。機枠２の収容部２ｏに制御基板機構体６は収容される。このとき機枠２の上下にある取付部２ｈ，２ｈに、制御基板機構体６の上下にある取付部６ｈ，６ｈが重ねられ、機枠と制御基板機構体は回動可能に軸着される。
【００２５】
制御基板機構体６の背面側には、各種の制御基板等を備えた制御機構部１００が装着される。そして、カバー部材１１０により覆われる。カバー部材１１０は上方から順に上面部１１３、保護面部１１２、保護部１１１の３つの部分を備える。カバー部材１１０の下方には開口部６ｏが設けられ、後出の主制御基板１３０を収納する主制御基板収納ケース１２０が露出する。こうして、主制御基板の視認性が確保できる。制御機構部１００の下部には、払出制御基板１４５を収納する払出基板収納ケース１４６、発射制御基板１４７を収納する発射基板収納ケース１４８等の各種の制御基板、基板収納ケースが配置される。
【００２６】
遊技盤３の背面側（遊技領域８の反対側）には、上方から順に表示制御基板１４１を収納する表示基板収納ケース１４２、音声発光制御基板１４３を収納する音声発光基板収納ケース１４４、主制御基板１３０を収納する主制御基板収納ケース１２０、メイン中継基板１５０等が装着される。なお、図１に示した各種の入賞口に入賞（入球）した遊技球を集約する集合樋（図示せず）も備えられる。符号１３０Ｂは配線基板、２００は配線部材（ハーネス）である。遊技機１の最前面には装飾枠体５が設置される。装飾枠体５の収容溝部５ｏ内にガラス板４等の透明板が固定される。装飾枠体５の上下にも取付部５ｈ，５ｈが設けられ、制御基板機構体６の取付部６ｈ，６ｈ、及び機枠２の取付部２ｈ，２ｈに重ねられる。そこで、装飾枠体５は、制御基板機構体及び機枠と回動可能に軸着される。前記の基板収納ケース、カバー部材１１０は透明色もしくは半透明色の樹脂製部材から成形され、配線基板の視認性を高めている。
【００２７】
図３のブロック図は、遊技機１における各種制御基板同士の配線部材による接続状況の概要である。図示はしないが、各制御基板に対し電源装置（電源基板）から所定の電源供給が行われている。
【００２８】
主制御基板（主制御回路）１３０には、ＣＰＵ１３５や、ＲＡＭ１３４、ＲＯＭ１３３等が備えられる。また、中継基板（中継回路）１４９、メイン中継基板（中継回路）１５０、表示制御基板（表示制御回路）１４１等とを結ぶ入出力回路１３６も備えられる。実施例において、主制御基板１３０上のＣＰＵ１３５、ＲＡＭ１３４、及びＲＯＭ１３３は、電源供給を受けて演算処理をし、その入出力データの更新、記憶、蓄積等に関わる。主制御基板のＣＰＵ等に限らず、他の制御基板のＣＰＵ等も同様に電気的部材である。なお、当該実施例は主制御基板１３０を配線基板として開示し説明する。
【００２９】
ＣＰＵ１３５は、制御部，演算部，各種カウンタ，各種レジスタ，各種フラグ、各種タイマ等を備え、演算制御を行う他、大当たりの発生確率や小当たり（始動入賞口１０の拡開開放を行う普通図柄当たり）の発生確率を定める乱数等も生成している。当該ＣＰＵは、判断手段、設定手段、報知制御手段、特別遊技実行手段、特典遊技実行手段、遊技進行制御手段、遊技進行検出手段、変動態様選択手段等に相当し、前記列記した各手段に係る処理は同主制御基板１３０上のＲＡＭ１３４，ＲＯＭ１３３等と連携して適式に各種演算されることにより、遊技機１における遊技進行は制御される。
【００３０】
ＲＡＭ１３４は、記憶手段に相当し、始動入賞口検出スイッチの検出信号及びゲート検出スイッチの検出信号に関する記憶領域，ＣＰＵで生成される各種乱数値用の記憶領域，各種データ（コマンドデータ）を一時的に記憶する記憶領域やフラグ，ＣＰＵの作業領域を備えており、判定図柄の図柄情報（各カウンタの取得数値）等の各種データを記憶する。さらに、ＲＯＭ１３３には、遊技上の制御プログラムや制御データが書き込まれている他、各遊技状態における大当たり等の判定値等が書き込まれている。
【００３１】
音声発光制御基板（音声発光回路）１４３は、主制御基板１３０の入出力回路１３６を経由して、前記配線部材２００等を介して主制御基板に接続される。音声発光制御基板１４３上のＣＰＵは、内部に制御部，演算部，各種カウンタ，各種レジスタ，各種フラグ等を有し演算制御を行う。また、ＲＡＭは、記憶領域と前記ＣＰＵによる作業領域等を有しており、主制御回路１３０のＲＡＭと同様にカウンタの取得数値等の各種データを記憶する。さらにＲＯＭには、音声発光制御に必要な各種データが書き込まれている。音声発光制御基板１４３の出力回路にはランプ表示器３５、スピーカ３７、その他の発光体が接続される。
【００３２】
中継基板（中継回路）１４９は、主制御基板１３０の入出力回路１３６を経由して、前記配線部材等を介して主制御基板に接続される。同中継基板１４９には始動入賞口検出スイッチ、ゲート検出スイッチ等のセンサ類が接続される。メイン中継基板（メイン中継回路）１５０は、主制御基板１３０の入出力回路１３６を経由して、前記配線部材等を介して主制御基板に接続される。同メイン中継基板には大入賞口開放ソレノイド、入賞球数カウントスイッチ等が接続される。また、その他のソレノイド類も主制御基板の入出力回路に接続される。
【００３３】
表示制御基板（表示制御回路）１４１は、主制御基板１３０の入出力回路１３６を経由して、前記配線部材２００等を介して主制御基板に接続される。表示制御基板１４１上のＣＰＵは、内部に制御部，演算部，各種カウンタ，各種レジスタ，各種フラグ等を有し演算制御を行う。また、そのＲＡＭは、記憶領域とＣＰＵによる作業領域等を有しており、主制御基板１５０のＲＡＭと同様にカウンタの取得数値等の各種データを記憶する。さらに、ＲＯＭには、図柄表示装置５０への表示データや各種表示プログラム等の図柄データが書き込まれている。表示制御基板１４１の出力回路には図柄表示装置５０が接続される。画像表示装置９には表示制御基板１４１と図柄表示装置５０が含まれる。
【００３４】
払出制御基板（払出制御回路）１５２は、主制御基板１３０の入出力回路１３６を経由して、前記配線部材２００等を介して主制御基板に接続される。払出制御基板１５２には貸球払出装置４６、カードユニット、賞球モータ等が接続され、発射制御基板（発射制御回路）１５３も接続される。発射制御基板１５３には、発射モータ４４とタッチスイッチ４３を備えた発射装置４０が備えられる。また、主制御基板の入出力回路１３６と共に払出制御基板１５２にはフォト分配基板（フォト分配回路）１５１が接続される。フォト分配基板には賞球センサが接続される。賞球モータ、賞球センサ等により賞球払出装置４５が構成される。
【００３５】
実施例の図３のブロック図から把握されるように、配線基板である主制御基板１３０以外の各制御基板（音声発光制御基板、中継基板、表示制御基板、払出制御基板等）、さらには主制御基板や他の制御基板に接続されている部材（ランプ表示器、スピーカ、スイッチやソレノイド、モータ類）は、必要により電源供給を受け、直接あるいは間接的に主制御基板の制御下で同主制御基板に連動して処理を行う。
【００３６】
図４は実施例の遊技機１の背面図であり、前記のカバー部材１１０（図２参照）を取り外した状態を示している。機枠２内に取り付けられた制御基板機構体６の制御機構部１００の開口位置に遊技盤３背面側に設けられた表示制御基板１４１（表示基板収納ケース１４２）、音声発光制御基板１４３（音声発光基板収納ケース１４４）、主制御基板１３０（主制御基板収納ケース１２０）、メイン中継基板１５０等が現れている。各種基板の配線接続については図３が参照される。符号１０１は遊技球を貯留する貯留タンクである。
【００３７】
主制御基板１３０（配線基板１３０Ｂ）には接続部２３０が設けられ、配線部材２００と接続部２３０を介して接続される。そのため、主制御基板１３０を収納する主制御基板収納ケース１２０には接続部２３０を露出させる開放部１２１が形成される。開放部１２１の形状は接続部２３０の外周よりも僅かに大きく形成される（後出の図９参照）。制御機構部１００の左側には軸受部１０５が２箇所設けられ、次に示すカバー部材１１０が同軸受部１０５に回動可能に係合される。
【００３８】
音声発光基板収納ケース１４４と遊技盤３の間には隙間が設けられ、その隙間の遊技盤側に始動入賞口の検出スイッチと接続される中継基板１４９が配設される。また、メイン中継基板１５０は、音声発光制御基板１４３（音声発光基板収納ケース１４４）の下方であり主制御基板１３０（主制御基板収納ケース１２０）の上方位置の遊技盤上に設けられる。メイン中継基板１５０には、大入賞口に関するソレノイド、スイッチが接続される。
【００３９】
図５は、図４の遊技機１の背面にカバー部材１１０が装着された状態を示す。軸受部１０５にカバー部材１１０の左端の回動軸１１５が嵌合される。カバー部材の右端には爪部（図示せず）が備えられ、カバー部材１１０は制御機構部１００の所定の溝孔部（同じく図示せず）に差し込まれて引っかかり、制御機構部１００に固定される。
【００４０】
カバー部材１１０の上面部１１３は遊技機上方から侵入するほこりや異物から制御基板を保護する。カバー部材の上部は上面部１１３により囲まれる。保護面部１１２は遊技機の背面側から同カバー部材内の制御基板に対するほこりや異物の侵入を保護する。実施例の遊技機では、カバー部材１１０の保護面部１１２の直下（遊技盤３寄り）には、主に、表示制御基板１４１（表示基板収納ケース１４２）、音声発光制御基板１４３（音声発光基板収納ケース１４４）、中継基板１４９、メイン中継基板１５０をはじめとする基板やケースが配置されている。
【００４１】
実施例の保護部１１１はカバー部材１１０の保護面部１１２の最下端に形成され、矩形に突出した板状片である。そして、主制御基板１３０（主制御基板収納ケース１２０）のうち、主制御基板１３０の接続部２３０付近が保護部１１１に覆われて外部から保護される。図５に示しているように、主制御基板１３０（その配線基板１３０Ｂ）は右上がり斜線を付した第１部品実装領域１３１と、右下がり斜線を付した第２部品実装領域１３２の領域から構成される。配線基板１３０Ｂにおいて、接続部２３０が設けられている領域は第１部品実装領域１３１であり、ＣＰＵ１３５等が実装された領域は第２部品実装領域１３２である。両部品実装領域及び配線部材の構造については、後出の図８，９にて詳述する。なお、第１部品実装領域１３１は少なくとも接続部２３０、あるいは少なくとも接続部２３０及び配線基板のうち接続部２３０と接続されている配線部材２００に対応する接続部２３０の近傍にある位置であればよい。
【００４２】
実施例の接続部２３０は、配線部材２００の一部が接続可能なコネクタ部材（ハーネス端子の受け側となる部材：雌コネクタ）である。主制御基板１３０の接続部２３０は配線部材２００を介して主制御基板１３０（その配線基板１３０Ｂ）外部の他の電気的部材と接続される。図４並びに図５のように、電気的部材である中継基板１４９、メイン中継基板１５０は、配線部材（ハーネス）２００により主制御基板１３０に配線接続される。むろん、図示しない電気的部材も配線基板に接続される。実施例における他の電気的部材には、ＣＰＵ等の素子を実装した各種制御基板や他の基板、配線部材を通じて接続される基板部品、さらにはモータやソレノイド等が含まれる。加えて、役物等の基板と一体化されたモータやソレノイド、基板付きの表示装置等が含まれる。前記の他の電気的部材は配線接続される基板やモータ、ソレノイド等の電動部品等であり、配線接続される基板を含んだ各種装置である。配線基板１３０Ｂ以外の前記の他の電気的部材等の各種装置においても、少なくともその一部（装置の一部分）はカバー部材１１０により覆われる。
【００４３】
図４と図５との比較のとおり、カバー部材１１０は制御機構部１００に対して開くもしくは閉じるの回動により移動可能である。従って、当該カバー部材１１０の保護部１１１は前記の配線基板１３０Ｂにおける第１部品実装領域１３１を覆う保護位置あるいは同領域１３１を覆わない非保護位置に移動可能である。
【００４４】
この保護位置（図５参照）にあっては、カバー部材１１０の保護部１１１は第１部品実装領域１３１と共に接続部２３０の第１部品実装領域１３１に侵入している部分（配線部材やその端子部）を覆って保護する。そして、カバー部材１１０は第２部品実装領域１３２の少なくとも一部を覆うことなく該第２部品実装領域の視認可能な状態である。また、非保護位置（図４参照）にあっては、カバー部材１１０は第１部品実装領域１３１及び第２部品実装領域１３２のいずれも覆わない。
【００４５】
このように、従来であれば、カバー部材により配線基板や基板収納ケースの全体あるいはほぼ全体を覆った場合、カバー部材が重なることにより基板収納ケースや配線基板の視認が難しくなる場合もある。よって、配線基板等に対する不正行為の有無は発見し難くなっていた。しかしながら、本発明により、配線基板等の電気的部材が実装されている領域の少なくとも一部の視認性を高めると共に配線基板と他の電気的部材とを接続する部位等への不正行為を抑制することが可能である。すなわち、主制御基板１３０（配線基板１３０Ｂ）の第１部品実装領域１３１はカバー部材１１０の保護部１１１により覆われることによって、配線部材等が露出する第１部品実装領域１３１は周囲から保護される。しかし、主制御基板収納ケース１２０の大半、つまり第２部品実装領域１３２はカバー部材１１０により覆われていないため、同主制御基板収納ケース内の主制御基板１３０、特にはＣＰＵ１３５等の視認性は確保される。このため、第２部品実装領域の電気的部材に対する不正行為は発覚しやすくなる。
【００４６】
図６は遊技機１の背面側、特にはカバー部材１１０の軸受部１０５側からの斜視図である。同図と前出の図５より把握されるように、主制御基板収納ケース１２０には、収容された配線基板１３０Ｂの第１部品実装領域１３１（その直上部分）に、当該配線基板側に他の部位よりも近づいた窪み部１２９が形成される。カバー部材１１０の保護部１１１が窪み部１２９を覆うことによって、第１部品実装領域１３１は保護部１１１の遊技盤寄りの直下となり、同第１部品実装領域は周囲から保護される。図中、符号１２５は封止手段である。封止手段１２５は、主制御基板収納ケース１２０内に主制御基板１３０を収納した後のカバー部１２１とケース台部１２２（共に図８，９参照）とを組み合わせ、双方をリベット等により固定する。いったん封止手段により封止された後は、収納された基板を取り外す際に基板収納ケースの封止手段の部位を破壊しなければ取り出すことができない構造である（特許３４３１８６８号等参照）。当該封止手段１２５もカバー部材１１０により被覆されていないため、カバー部材１１０の保護位置にあっても遊技機外部からの視認性は確保され、封止手段やその周囲に対する不正の形跡の発見や点検が容易となる。
【００４７】
図７は、実施例の遊技機１の縦断面図である。同縦断面図からもわかるように、表示制御基板１４１（表示基板収納ケース１４２）、音声発光制御基板１４３（音声発光基板収納ケース１４４）、中継基板１４９、メイン中継基板１５０は、遊技機の上下方向においてカバー部材１１０の上面部１１３の下方であり、遊技機の前後方向において保護面部１１２より遊技盤３側に設けられている。
【００４８】
一般にハーネスと称される配線部材２００は、導線を被覆したコード部２０１とその両端に設けられた端子部２０５（ハーネス端子の差し込み側となる部材：雄コネクタ）から構成される。図示では、主制御基板１３０（配線基板１３０Ｂ）の第１部品実装領域１３１に設けられた接続部２３０に配線部材２００の一方の端子部が挿入、接続され、他方の端子部はメイン中継基板１５０に接続されている。また、第１部品実装領域１３１の別の接続部２３０と中継基板１４９も、端子部２０５を備えた他の配線部材２００により接続される（図４，５も参照）。
【００４９】
図示のＱ部分からよくわかるように、保護位置にあるカバー部材１１０下端の保護部１１１は、配線部材２００並びに接続部２３０を覆う位置までの長さとして形成される。つまり、前出第１部品実装領域１３１の遊技機背面側の主制御基板収納ケース１２０は保護部１１１により覆われる。これに対して、第２部品実装領域１３２は保護位置にあるカバー部材１１０により覆われることがない。すなわち、主制御基板の主要部分の視認性は十分に確保される。
【００５０】
図８は主制御基板収納ケース１２０とその内部に収納される主制御基板１３０（配線基板１３０Ｂ）の構造の概要を示す模式化した斜視図である。主制御基板収納ケース１２０は、主に主制御基板１３０を取り付けるケース台部１２２と、ケース台部に被せて主制御基板を保護するカバー部１２１の透明樹脂部材からなる。カバー部１２１とケース台部１２２との結合には前記の封止手段１２５が用いられる。主制御基板収納ケース１２０を構成するカバー部１２１とケース台部１２２は透明色もしくは半透明色の樹脂製部材から成形される。よって、収納している基板の視認性の妨げとはならず、基板の確認、点検は容易となる。
【００５１】
模式図の主制御基板１３０（配線基板１３０Ｂ）の表面にはＣＰＵ１３５、ＲＡＭ１３４、ＲＯＭ１３３、その他コンデンサ、抵抗器等がはんだ付けにより固定される。また、図示の接続部２３０はコネクタ部材２３０Ｃであり主制御基板にはんだ付けにより固定される。主制御基板の裏面には個々の部品を接続するプリント配線（図示せず）が形成されている。接続部２３０（コネクタ部材２３０Ｃ）は矩形の箱状であり、内部に導電端子Ｔを備える。
【００５２】
主制御基板１３０（配線基板１３０Ｂ）に被せられるカバー部１２１には、接続部２３０（コネクタ部材２３０Ｃ）が主制御基板収納ケース１２０の外部へ露出させるため、切り欠きとなる開放部１２３が形成される。よって、ケース台部１２２にカバー部１２１を組み合わせた後の配線部材と配線基板の接続は容易となる。
【００５３】
配線部材２００のコード部２０１の末端には、個別の接続部２３０（コネクタ部材２３０Ｃ）に適合した形状の端子部２０５がそれぞれ装着される。端子部２０５はハーネスの差し込み側となる部材であり、雄コネクタあるいは差し込み側コネクタ等とも称される。接続部２３０（コネクタ部材２３０Ｃ）は、配線部材２００（ハーネス）の受け側となる部材であり、雌コネクタあるいは受け口側コネクタ等とも称される。接続部２３０（コネクタ部材２３０Ｃ）の導電端子Ｔにコード部の導線が端子部２０５を介して接続されることによって、所定の電気的部材に接続される。
【００５４】
図８の模式図のとおり、実施例の主制御基板１３０の配線基板１３０Ｂにおいて、接続部２３０が設けられている領域は第１部品実装領域１３１であり（図中、網掛けにて表示）、接続部２３０を除くＣＰＵ１３５等の部品が実装されている領域が第２部品実装領域１３２である。第１部品実装領域１３１の上部位置のカバー部１２１には、図示するようにカバー部の一部を切り落として基板側に落ち込んだ窪み部１２９が形成される。
【００５５】
図９は配線基板及び基板収納ケースにおける第１部品実装領域付近の概略要部断面模式図である。ケース台部１２２にカバー部１２１を組み合わせ完全に主制御基板１３０を主制御基板収納ケース１２０内に収納した後、接続部２３０（コネクタ部材２３０Ｃ）は、カバー部１２１に形成された開放部１２３から主制御基板収納ケース１２０の外部へ露出する。
【００５６】
開放部１２３と接続部２３０との間には隙間１２４が設けられる。開放部１２３の大きさはケース台部１２２にカバー部１２１を組み合わせる際の接続部２３０の位置ずれを吸収できる範囲で規定され、なるべく隙間１２４を少なくするように設計される。そのため、開放部１２３からの基板への異物侵入に伴う不正行為のおそれも極力回避できる。図示からわかるように、主制御基板収納ケース１２０の外へ露出した接続部２３０へは、配線部材２００の端子部２０５の接続は容易である。図中、符号Ｈははんだであり導電端子Ｔと基板のプリント配線とを接続する。
【００５７】
図１０は前出図７の符号Ｑ部分の拡大図である。配線部材２００と配線基板１３０Ｂとの接続に際し、この配線部材の先端部分である端子部２０５は、接続部２３０（コネクタ部材２３０Ｃ）への挿入方向（紙面左向き）に挿入距離（長さＤ１）分挿入される。そこで、配線部材２００と接続部２３０との接続固定が完了する。これと合わせて、接続部２３０（コネクタ部材２３０Ｃ）に挿入されたこの配線部材の先端部分である端子部２０５を当該接続部から解除方向（紙面右向き）に解除距離（長さＤ２）分抜き出すことにより、配線部材２００と接続部２３０との接続固定は解除される。
【００５８】
図示のとおり、カバー部材が保護位置にあるとき、第１部品実装領域１３１の接続部２３０の上方に位置する窪み部１２９を覆うように、同カバー体１１０の保護部１１１がコネクタ部材２３０Ｃ上に被さる。そこで、保護部１１１と接続部２３０との距離（長さＤ３）は、前記の解除距離（長さＤ２）を超えない位置となるように、つまりＤ３＜Ｄ２を満たすように、同カバー体１１０の保護部１１１の位置は規定される。図示のカバー体１１０の保護部１１１と接続部２３０との位置関係より、コネクタ部材２３０Ｃ及び配線基板１３０Ｂ以外の他の装置の少なくとも一部もカバー体により保護される。加えて、主制御基板収納ケース１２０側の窪み部１２９により保護部より下方に適度な空間が生じ、接続部２３０に接続された配線部材２００のコード部２０１の引き回しに余裕が生じる。このため、コード部２０１と端子部２０５との接点部分の劣化も抑えることができる。
【００５９】
このようにカバー部材が保護位置にあるとき、仮に接続部２３０（コネクタ部材２３０Ｃ）から端子部２０５を外して配線部材の付け替えを行おうとしても、保護部１１１と接続部２３０との距離（長さＤ３）は端子部２０５を接続部２３０から接続解除するための解除距離（長さＤ２）よりも短いため、端子部２０５が接続部２３０から抜き終わる前に端子部２０５やコード部２０１は保護部１１１に接触し、端子部２０５を完全に接続部２３０から取り外すことはできない。そこで、接続部から配線部材（その端子部）が解除されるおそれは低くなる。
【００６０】
つまり、カバー部材が保護位置にある時に接続部に接続された配線部材の先端側は、接続部から（保護位置にある）保護部に向けて引き出され、そこからいったん保護部が位置する側とは異なる方向（例えば、引き出される方向に対して略反対方向や略垂直方向等）に向けて屈曲され、最終的に他の電気的部材に接続するように引き回された構成となる。ここで、配線部材の少なくとも一部は保護部とは異なるカバー部材の一部によって形成される空間を介して（カバー部材の一部に覆われて）他の電気的部材に接続されている。また、接続部から引き出された配線部材の先端側は、接続部から見て基板収納ケースの一部（窪み部よりも高さが高い部分）の反対側の方向（本実施例では接続部から上方側、すなわちカバー部材側）で他の電気的部材に接続されている。なお、他の電気的部材はカバー部材の内部でも外部でもいずれの位置にあってもよい。以上の構成により、カバー部材により接続部を含む第１部品実装領域及び配線部材を保護することは可能である。また、他の電気的部材が保護部とは異なるカバー部材の一部によって形成される空間内に位置する構成であれば、接続部を含む第１部品実装領域、配線部材全体、及び他の電気的部材も保護可能となる。
【００６１】
カバー部材が保護位置にあるとき、配線部材の先端側部分は保護部あるいはカバー部材の一部に当接しなくてもよい。しかしながら、接続部に接続された配線部材の先端側部分は、カバー部材が保護位置になったときに保護部によって押されて屈曲されるような距離（およそ保護部と基板との距離）となることが好ましい。このようにすれば、非保護位置から保護位置に移動すると共に配線部材を屈曲させることができる。保護部に配線部材（そのコード部）を当接させた方が接続部から配線部材の接続が解除されにくくなる。
【００６２】
この実施例では、保護部１１１により隠蔽されている接続部２３０（コネクタ部材２３０Ｃ）とこれに接続されている配線部材２００は、始動入賞口検出スイッチが接続されている中継基板１４９、大入賞口開放ソレノイドやそのカウントスイッチが接続されているメイン中継基板１５０等と電気的に配線接続される（図３ないし図５参照）。実施例においては、保護部１１１により保護される配線部材２００は専ら賞球の払い出しに関わる基板と接続される。すなわち、他の電気的部材は、遊技領域を流下する遊技媒体（遊技球等）が入賞することにより入賞信号が配線部材を介して制御基板に送信される入賞装置であり、入賞信号を配線基板（主制御基板）が受信することに起因して該配線基板は有利な価値を付与する制御を実行する。
【００６３】
例えば、払い出される賞球を通常の設定から意図的に変える（より過剰な払い出し量に変更する）処理を行うぶら下がり基板等と称される不正な基板が接続されるおそれがある。そこで、前述のとおり、配線部材及び接続部（コネクタ部材）がカバー体の保護部により覆われて保護されることにより、前記の不正な基板を取り付けようとしても、保護部が抵抗となり不正な基板の取り付けは困難となる。実施例の主制御基板収納ケースのように、主制御基板の視認性を高めたためにケース全体がカバー体により覆われない構造であっても、不正防止の対策上、脆弱となりやすい開放部付近の防御性能を高めることができる。この結果、ぶら下がり基板等の不正な基板の接続を回避することができ、過剰に遊技球を得ようとする不正行為に対する抑止効果を発揮できる。
【００６４】
図１１はカバー体１１０の保護部１１１にリブ構造を備えた場合を示す。配線部材及び接続部（コネクタ部材）に対する保護部による保護は既に述べたとおりである。保護部はカバー体を含め透明または半透明の部材であり樹脂製材料から成形される。その場合、樹脂弾性により保護部付近が折り曲げられ、保護部１１１と接続部２３０との距離（図１０の長さＤ３）が変化する場合がある。そうすると、不正抑止効果の低下が懸念される。そこで、図１１のようにリブ１１６が、カバー体１１０及び保護部１１１に設けられる。図示のリブ１１６は互いに直交し格子状を成している。カバー体におけるリブの形成面は両面としても片面としても良い。また、リブの形状はカバー体に囲われている各制御基板の視認性を確保可能な限り適宜である。リブを備えたことにより、主に保護部付近の弾性に伴う変形量はより少なくなり、無理な折り曲げに抗することができ、保護部による配線部材及び接続部（コネクタ部材）の保護性能が向上する。
【００６５】
以上述べたように、カバー体は制御基板機構体の背面側の制御機構部に設けられ、主制御基板は遊技盤に設けられる。カバー体と主制御基板収納ケースを別々の部材に取り付けておけば、例えば、主制御基板収納ケースに不正行為を行おうとして当該主制御基板収納ケースを取り外そうとするとき、その手前にあるカバー体を制御基板機構体側から取り外さなければならない。このため、カバー部材と主制御基板収納ケースを同じ部材に取り付けて同時に取り外すよりも手間を要する。結果として、前述のような不正行為を抑制することが可能である。
【００６６】
なお、実施例では、賞球に関わる配線部材（ハーネス）及び接続部（コネクタ部材）に保護部が被さる構成であるが保護される場所はこれに限られない。その他の配線部材や接続部を覆う構造も可能である。具体的には、賞球の払い出しの関わる払出制御基板と主制御基板との配線接続、電源基板と主制御基板との配線接続（電源基板を短絡させて主制御基板の大当たり等に関するデータを改変する。）等の遊技者に有利な賞価値を付与するための制御を実行する各種の基板や電気機器に関する配線部材や接続部を覆うことにより、不正防止の効果はより高まる。
【００６７】
実施例の主制御基板では、配線基板は基板収納ケース内に収められている。これより基板収納ケースを省略し、基板が露出した構造とすることもできる。この場合であっても、カバー体の保護部による保護効果は同様に発揮される。
【００６８】
また、基板収納ケースに設けられた開放部は接続部（コネクタ部材）の形状に一致した隙間を備えて開口形成される。この開放部の形状は配線部材（ハーネス）と接続部（コネクタ部材）との接続が可能な限りどのような形状でも良く、開口のみ限られない。
【００６９】
本発明の構成については、パチンコ遊技機の実施例を用いて説明した。むろん、パチンコ遊技機のみの適用に限られることはなく、スロットマシン、アレンジボール遊技機等の適宜の遊技機にも適用することができる。
【符号の説明】
【００７０】
１  遊技機
２  機枠
３  遊技盤
５  装飾枠体
６  制御基板機構体
１１０  カバー部材
１１１  保護部
１２０  主制御基板収納ケース
１２１  カバー部
１２２  ケース台部
１２３  開放部
１２９  窪み部
１３０  主制御基板
１３０Ｂ  配線基板
１３１  第１部品実装領域
１３２  第２部品実装領域
１３５  ＣＰＵ
１４９  中継基板
１５０  メイン中継基板
２００  配線部材
２０１  コード部
２０５  端子部
２３０  接続部
２３０Ｃ  コネクタ部材
【図１】
2010187881.tif 000003
【図２】
2010187881.tif 000004
【図３】
2010187881.tif 000005
【図４】
2010187881.tif 000006
【図５】
2010187881.tif 000007
【図６】
2010187881.tif 000008
【図７】
2010187881.tif 000009
【図８】
2010187881.tif 000010
【図９】
2010187881.tif 000011
【図１０】
2010187881.tif 000012
【図１１】
2010187881.tif 000013